Podtech/llm-jp-corpus-v4-ja_patent huggingface dataset:
(57)【要約】      （修正有）【課題】車輛のクルーズ制御装置において、特定速度を設定するために速度計を見る必要のない、新規な操作装置を提供する。【解決手段】操作装置には、入力部をなぞるだけで少なくとも一つの数字を入力できる英数字入力部１２が設けられた接触感知式制御パネルを有する。前記英数字入力部は、複数のゾーンに分けられ、これにより、少なくとも一つの数字をこれらゾーンの各々に入力できる。かくして入力された数字は、設定機能によってクルーズ制御装置に設定値として伝達される。前記設定機能は、英数字入力部で数字をおおまかになぞることによって指先で入力したシンボルを解釈し、尤もらしい英数字シンボルだけを受け入れる読み取り機能を含む。【選択図】図１
2004161253.tif 000002
【特許請求の範囲】
【請求項１】
車輛のクルーズ制御装置用の操作装置であって、
前記操作装置は、
なぞることによって少なくとも一つの数字を入力できる少なくとも一つの英数字入力部が設けられた接触感知式制御パネルを含み、かくして入力された数字は、設定機能によってクルーズ制御装置に設定値として伝達されることを特徴とする操作装置。
【請求項２】
請求項１に記載の操作装置において、
前記設定機能は、制御部を叩くことによって作動されることを特徴とする操作装置。
【請求項３】
請求項２に記載の操作装置において、
前記制御部は、前記英数字入力部内に設けられていることを特徴とする操作装置。
【請求項４】
請求項１に記載の操作装置において、
前記設定機能は、前記英数字入力部で数字をおおまかになぞることによって指先で入力したシンボルを解釈し、尤もらしい英数字シンボルだけを受け入れる読み取り機能を含むことを特徴とした操作装置。
【請求項５】
請求項１に記載の操作装置において、
前記英数字入力部は複数のゾーンに分けられ、これにより、少なくとも一つの数字をこれらのゾーンの各々に入力できることを特徴とする操作装置。
【請求項６】
請求項１に記載の操作装置において、
前記英数字入力部は、互いから触覚的に区別できる、制御機能と各々関連した複数の制御部によって取り囲まれていることを特徴とする操作装置。
【発明の詳細な説明】
【技術分野】
【０００１】
本発明は、車輛のクルーズ制御装置（クルーズコントロール）用の操作装置に関する。
【背景技術】
【０００２】
このような操作装置は、現在の技術によれば、ハンドルに設けられたドロップアーム、ロッカスイッチ、又は個々の制御ボタンとして設計されている。これらは、作動（賦勢）／非作動（消勢）、設定、再開（レジュウム）、加速、及び巡行（ｃｏａｓｔ）等の基本的制御機能の実行に使用される。特定の速度を設定するため、車輛がその速度に達した後に適切な制御エレメントを操作する。加速及び巡行の制御機能について制御エレメントを操作した後、最も直近の駆動速度が確立される。いずれにせよ、例えば所与の速度限度に従って特定の速度を設定するには、車輛の計器盤に設けられた速度計を注意深く観察する必要がある。
【発明の開示】
【発明が解決しようとする課題】
【０００３】
本発明による操作装置によれば、特定速度を設定するために速度計を見る必要がない。
【課題を解決するための手段】
【０００４】
本発明による操作装置は、少なくとも一つの英数字入力部が設けられた接触感知式制御パネルを含む。入力部をなぞるだけで少なくとも一つの数字を入力部に入力できる。かくして入力された数字を、設定機能によってクルーズ制御装置に設定値として伝達される。
【０００５】
設定機能は、好ましくは、入力部で数字をおおまかになぞることによって指先で入力したシンボルを解釈し、尤もらしい英数字シンボルだけを受け入れる読み取り機能を含む。
更に、入力部は、好ましくは、互いから触覚的に区別できる、制御機能と各々関連した幾つかの制御部によって取り囲まれている。
【０００６】
本発明のこの他の特徴及び利点は、有利な実施例の以下の説明を、操作装置の制御面の上面図を示している１つの図面である添付図面を参照して読むことにより理解されよう。
【実施例】
【０００７】
全体に参照番号１０を付した制御パネルは接触感知式であり、どんな接触（掠りを除く）も電気信号に変換できる。このような制御パネルは、ポータブルコンピュータ（ラップトップ型、ノートブック型）でタッチパッドとして周知である。
【０００８】
制御パネル１０は車輛のハンドルに、好ましくはハンドルのスポークに、又はハンドルのハブに、ハンドルのホイールに、センターコンソール又はラジオや室温制御システムが配置された制御部領域等に配置できる。
【０００９】
一例として図示した現在の好ましい実施例では、制御パネルは全体的にみて矩形であり、中央英数字入力部１２を備えている。この入力部１２は、制御部１４、１６、１８、２０によって取り囲まれている。制御部１４は、クルーズ制御装置の作動（賦勢）／非作動（消勢）に割当てられている。制御部１６、１８は、「加速」機能及び「減速」機能を開始する。制御部２０は、入力部１２に入力した速度を設定する、即ちこれを設定値としてクルーズ制御装置に伝達する。
【００１０】
数字を入力部１２に「書き込む」（なぞる）ことによって、即ち入力部１２を指先又は親指（車輛での設置場所に応じて）でおおまかになぞることによって、数字を入力する。この方法で入力した数字を読み取り機能によって認識する。
【００１１】
第１の変形例によれば、幾つかの数字が次々に続けて入力され、即ち最初の数字をなぞった後にこれが記憶され、入力部１２は別の数字を入力するための準備ができる。第２の変形例では、複数の数字を空間的配置で順次入力する。この場合、複数の数字が入力部１２上で互いに隣接してなぞられ、その後、確認動作によって入力が完了する。
【００１２】
入力された数字は、尤もらしい入力だけを受け入れる読み取り機能によって解釈される。例えば、図示の例で入力された数字「５」は、５０Ｋｍ／ｈと解釈され、同様に、「１」に続いて「２」を入力すると１２０Ｋｍ／ｈと解釈される。別の態様では、入力された数字「５」が、入力されたゾーンに応じて、５Ｋｍ／ｈ（遊戯街路（ｐｌａｙ  ｓｔｒｅｅｔ）と隣接した歩道ゾーン）、５０Ｋｍ／ｈ（通常道路）、又は１３５Ｋｍ／ｈ（高速道路）の速度表示と解釈されるように、入力部１２を幾つかのゾーンに分ける。
【００１３】
入力速度を設定するため、制御部２０を叩く。操作装置の変形例では、別の制御部２０が設けられていない。この場合、速度の入力後に入力部１２を軽く叩くと、入力部１２と関連した読み取り機能が、これを設定コマンドと解釈する。
【００１４】
本操作装置には、なぞることによって少なくとも一つの数字を入力できる英数字入力部（１２）が設けられた接触感知式制御パネルを有する。かくして入力された数字は、設定機能によってクルーズ制御装置に設定値として伝達される。
【図面の簡単な説明】
【００１５】
【図１】操作装置の制御面の平面図である。
【符号の説明】
【００１６】
１０  制御パネル
１２  入力部
１４、１６、１８、２０  制御部
【図１】
2004161253.tif 000003
【外国語明細書】
2004161253000001.pdf
(57)【要約】      （修正有）【課題】トレー面積を広く取れるトレー付きカップホルダーの提供。【解決手段】自動車の室内側空気噴出し口のルーバーに固定される保持部品１と、上下に移動しカップの底部を載置する板２と本体トレー部分３を備えるトレー付きカップホルダーであって、この取りつけは長方形型のトレー側面に対して長さの短い４面と長さの長い５面の２箇所の取りつけ可能とし、上下に移動しカップの底部を載置する板２は，カップを載せないときはトレーの板面に水平もしくはそれに近い位置まで上がっていてトレーとして使える面積を従来商品より広く確保し，ドリンクを置く際は、したに下がり、カップ底面を支持する。【選択図】図３
2004161225.tif 000002
【特許請求の範囲】
【請求項１】
自動車の室内側空気噴出し口のルーバーに固定される保持部品１と、上下に移動しカップの底部を載置する板２と本体トレー部分３を備えるトレー付きカップホルダーであって、上下に移動しカップの底部を載置する板２は，カップを載せないときはトレーの板面に水平もしくは近い位置まで上がっていて、止め具６によって下に落ちない様に止まっている。止め具６は押しボタン状で、トレー３側面に開いた穴入りこんで止まっている。ドリンクを置く際は、底部を載置する板２は、折りたたまれていた支柱７に支持され下に下がり、カップ側面をトレー中央に開いた板円形状の穴で支持し、カップの底部を、板２で支持する事によりドリンクを倒れにくい安定した状態にすることを特徴とするトレー付きカップホルダー。
【請求項２】
本発明品の取りつけは長方形型のトレー側面に対して長さの短い４面と長さの長い５面の２箇所の取りつけ可能とすることを特徴とする請求項１記載のトレー付きカップホルダー。
【発明の詳細な説明】
【０００１】
【発明の属する技術分野】本発明は、自動車の室内に設置されるカップホルダーに関するものである。
【０００２】
【従来の技術】従来のこの種カップホルダーは，カップホルダーを使わない場合は，その部分が穴として開いていて，トレーとして使う際に面積的な無駄があったリ物がその穴の中に落ちたりしていた。そこで，この穴がカップを入れるときにだけ、下がる事によって，有効にトレースペースを使えるようにしたものである。
【０００３】そして、実際の使用に際しては、トレーの６を操作する事によって板２を支えている凸部が外れ，折りたたまれていた支柱が下がりその先端についている板２は、ある一定距離で止まる。この支柱は，図のような折たたみ式の場合のほかにレールの様にスライドさせて下に下げる場合も含む。これにより、カップが保持できる。
【０００４】又、カップホルダーとして使用しない場合には、板２を上にあげていき、トレー凸部分に引掛けて上に重量物が載っても下がらないようにする。これにより、カップホルダーの不使用状態にトレーのスペースが安定的に大きく得られることとなる。
【０００５】
【発明が解決しようとする課題】従って、従来のカップホルダーの下では、その使用状態と不使用状態とが簡単に得られる利点を有するが、反面、不使用状態においては、その穴空間をトレー面として生かすことができないので、空間的ロスが生じる。
【０００６】
【課題を解決するための手段】本発明は、斯かる従来カップホルダーの抱える課題を有効に解決するために開発されたもので、請求項１記載の発明は、自動車の室内側空気噴出し口のルーバーに固定される保持部品１と、上下に移動しカップの底部を載置する板２と本体トレー部分３を備えるトレー付きカップホルダーであって、上記保持部品１をルーバーの棒に引っかけその反対端をトレー３の側面に取りつける。上下に移動しカップの底部を載置する板２は，カップを載せないときはトレーの板面に水平もしくは近い位置まで上がっていてトレーとして使える面積を確保し，ドリンクを置く際は、したに下がり、ドリンク側面をトレーに開いた円形状の穴で支持し、カップの底部を、板２で支持する事によりドリンクを倒れにくい安定した状態にする構成を採用した。
【０００７】請求項１記載の発明は、請求項２を前提として、長方形型のトレー側面に対して長さの短い４面と長さの長い５面の２箇所の取りつけ可能とし、取りつけ形態のバラエテイーを増やしている構成を採用した。
【０００８】依って、請求項２記載の発明にあっては、トレー部の６を操作する事によって板２を支えている凸部が外れ支柱によりある一定距離で板２が下がって止まる。この支柱は，図のような折たたみ式の場合ほかにレールの様にスライドさせて下に沿わせて下げる場合も含む。これにより、カップが保持できる。
【０００９】請求項２記載の発明にあっては、これに加えて、取りつけを長方形型のトレー側面に対して長さの短い４面と長さの長い５面の２箇所の取りつけ可能とし、取りつけ形態のバラエテイーを増やしている
【００１０】
【発明の実施の形態】以下、本発明を図示する好適な実施の形態に基づいて詳述すれば、該実施の形態に係るカップホルダーは、自動車の空気噴出し口ルーバーに設置するものとして開発されたもので、ルーバーの板に固定される保持部品１を、本体トレー部分３に開いた取り付け用穴に差しこみ、各車種に合わせてスライドさせその位置決めをする。次に支持板８をトレー３の底面に取りつけ室内前面に当て、カップホルダーを安定した状態とする。
【００１１】次に、実際の使用に際しては、トレー部の６を操作する事によって、板２を支えている凸部が外れ支柱によりある一定距離で板２が下がって止まる。この支柱は，図のような折たたみ式場合のほかにレールの様にスライドさせて下に沿わせて下げる場合も含む。これにより、カップが保持できる。
【００１２】取りつけを長方形型のトレー側面に対して長さの短い４面と長さの長い５面の２箇所の取りつけ可能とし、取りつけ形態のバラエテイーを増やしている
【００１２】
【発明の効果】以上の如く、本発明は、上記構成の採用により、。上下に移動しカップの底部を載置する板２は，カップを載せないときはトレーの板面に水平もしくは近い位置まで上がっていて、６の凸部分によって下に落ちない様に止まっている。これによりトレーとして使える面積を従来商品より広く確保している。ドリンクを置く際は、底部を載置する板２は、支柱７に支持され下に下がり、ドリンク側面をトレーに開いた円形状の穴で支持し、カップの底部を、板２で支持する事によりドリンクを倒れにくい安定した状態にすることを特徴とする。また、長方形型のトレー側面に対して長さの短い４面と長さの長い５面の２箇所の取りつけ可能とし、取りつけ形態のバラエテイーを増やしている。これにより室内空間でのドリンクや小物をおく際の利便性を各段に向上させている。
【図面の簡単な説明】
【図１】本発明の実施の形態に係るカップホルダーを示す分解斜視図である。
【図２】（Ａ）はカップホルダーの不使用状態を示す側面図、（Ｂ）は同平面図である。
【図３】（Ａ）はカップホルダーの使用状態を示す側面図、（Ｂ）は同平面図である。
【符号の説明】
１  保持部品
２  カップの底部を載置する板２
３  本体トレー
４  長さの短い面
５  長さの長い面
６  カップの底部を載置する板を止めておく止め部品
７  支柱
８  下支え保持部品
【図１】
2004161225.tif 000003
【図２】
2004161225.tif 000004
【図３】
2004161225.tif 000005
(57)【要約】【課題】屋根の無い駐車場で前面ガラスを保護するために容易に装備でき、駐車スペース内で保管管理ができる車体保護具を提供すること。【解決の手段】外側に支柱２、内側に重石３を備えた基盤１と両側に棒芯５とミラー掛け６を備えたウインドウカバー４を連結紐７で接続する。【選択図】  図１
2004161226.tif 000002
【特許請求の範囲】
【請求項１】
外側に支柱、内側に重石を備えた基盤へ両側面に棒芯とミラー架けを備えたウインドウカバーを連結紐で接続した荷重安定式の車体保護具。
【請求項２】
前記カバーの両側面に棒芯とミラー架けを備えた車体保護具。
【発明の詳細な説明】
【０００１】
【発明の属する技術分野】
この発明は、屋根の無い駐車場に駐車する自動車の車体を保護する保護具に関する。
【０００２】
【従来の技術】
一般に、屋根の無い駐車場では夜露、霜等に晒された状態にあり、特に冬期は前面ガラスが凍結して車の発進に支障を来たした。
【０００３】
従って、長方形のビニールシート等の角に紐を設けて被せたり、発進時に湯をかけるなどの手法を取っていた。
【０００４】
【発明が解決しようとする課題】
しかし、前者においては、四個の角をそれぞれに引っ張って広げ、前面ガラスを均等に被せる長方形を作ってから紐をドアーに挟んだり、バックミラーに縛り付けて固定する必要があり、大変手間がかかった。
【０００５】
また、冬期は一度濡れたシート類は乾きにくく、濡れたままで被せるとガラスに凍りつく。従って、例えば賃貸駐車場等の駐車スペースがあるのみの場所では、その場にたたみ置きすると脱水乾燥もできず風で飛散して他に迷惑をかけたり、紛失したりする惧れもあった。
【０００６】
また、後者の湯をかける方法は手間がかかるので離れた駐車場へ早朝の貴重な時間帯を費やすことには難があった。
【０００７】
この発明は上述の課題を解決するものであり、着脱が容易で強風にも対応でき、駐車スペース内で脱水と乾燥を行いながら保管ができる車体保護具を提供することを目的とする。
【０００８】
【課題を解決するための手段】
この発明にかかわる車体保護具では、上記の課題を解決するために、以下のように構成するものである。即ち、外側に支柱、内側に重石を備えた基盤へ両側面に棒芯とミラー架けを備えたウインドウカバーを連結紐で接続して形成されることを特徴とするものである。
【０００９】
また、基盤とウインドウカバーとは常に接続する必要はなく、強風が予想されるときだけ接続すれば良い。
【００１０】
さらに、基盤は風対策と脱水と乾燥を行いながら保管場所に役立てるものであるが、ウインドウカバーだけでも雪霜対策はとれるので、ウインドウカバーの風対策を例えば、紐を設けてドアへ挟む等のことを行えば基盤は車体の側面に置かず後方に置いて保管管理の専用にしてもよい。
【００１１】
【発明の実施の形態】
以下、この発明の一実施の形態を図面に基づいて説明する。
本形態の車体保護具は屋外駐車場に駐車する車の前面ガラスを雪、霜、太陽光線から保護することに適している。
【００１２】
基盤１は図１〜３に示すように鉄筋等を熔接で枠組みする。そして外側に支柱２を、内側には重石３を備えたものであり、前輪が納まる付近の片側へ備え置く。
【００１３】
ウインドウカバー４はビニール等の防水性のある長方形のシートであり、両側面に塩化ビニールパイプ等の軽量で強度のあるものを側面の長さに合わせて包み込んだ棒芯５を設け、両側面に紐で輪状のミラー掛け６を設けたものであり、車体の前面ガラスに被せる物である。
【００１４】
基盤１とウインドウカバー４は支柱２と棒芯５付近を連結紐７で接続する。
【００１５】
次に、上記のように構成された車体保護具の作用を説明する。荷重安定式の車体保護具は屋根の無い駐車場の前輪が納まる付近片側へ基盤１を支柱側が外に、重石側を内にして境界線上へ直角に配置する。
【００１６】
そして、車を前輪１０が基盤１に乗り上げた状態にして駐車する。
【００１７】
そして、車の前面ガラスの上へウインドウカバー４を被せ、ミラー掛け６をバックミラー８に掛けてから棒芯５をバックミラー８の付根付近に挟み込む。
【００１８】
そして、ウインドウカバー４の棒芯５付近と基盤に設けた支柱２を連結紐７で接続する。
【００１９】
また、車の発進時は左右のミラー掛け６をバックミラーから外して棒芯を重ね、支柱２に掛けて脱水と乾燥を行いながら保管をする。
【００２０】
【発明の効果】
本発明によればウインドウカバーの棒芯５を左右のバックミラー８の付根付近へ挟み込むだけで前面ガラス上へ均等に広がり、棒芯の強さで長方形が確保され、ミラー掛け６によって離脱が防止できるので作業が簡単である。
【００２１】
また、基盤１は車輪１０の荷重がかかるので連結紐７で接続されたウインドウカバーは強風にも耐え、飛散紛失が防止できる。
【００２２】
更に、基盤１は末端に設けた重石３の荷重がてこの原理も加わり、車が無くても据え置くだけでウインドウカバー４を掛けて脱水と乾燥と保管に適し、濡れたカバーを他の離れた場所へ運ぶ必要も無く車庫内での管理が出来る便利さがある。
【図面の簡単な説明】
【図１】本発明の正面図である。
【図２】本発明の実施例を示す正面図である。
【図３】本発明の基盤の平面図である。
【符号の説明】
１・・・・・基盤
２・・・・・支柱
３・・・・・重石
４・・・・・ウインドウカバー
５・・・・・棒芯
６・・・・・ミラー掛け
７・・・・・連結紐
８・・・・・バックミラー
９・・・・・車体
１０・・・・車輪
【図１】
2004161226.tif 000003
【図２】
2004161226.tif 000004
【図３】
2004161226.tif 000005
(57)【要約】【目的】段差走行用タイヤに依る車椅子、運搬車、作業車等の駆動車輪に利用をする。【構成】タイヤのサイドウォールに、パターンを造り設けたパターンに依るグリップな路面の段差を走行可能したタイヤ。【選択図】図２
2004161227.tif 000002
【特許請求の範囲】
【請求項１】
タイヤのサイドウォールを利用した、そのサイドウォールに、サイドパターン様成るにして造り設け有した事に依っての、路面の段差走行用タイヤ。
【請求項２】
タイヤのサイドウォールを利用した、そのサイドウォールに、溝の深いリブリットウォールから成る、半月円盤型様成るサイドパターンにして、造り設け有したサイドパターンのタイヤに依って、路面の段差をグリップしての走行を可能にした、路面の段差走行用タイヤ。
【請求項３】
タイヤのサイドウォールを利用した、そのサイドウォールに、溝の深いリブリットウォールから成る半月円盤型様成るパターンにしたサイドパターンが、トレッドの接地面に添って、リブリットウォールに造り設けたパターンガイドに依って、タイヤの外側に開き曲がる様成るにした、サイドパターンに依るタイヤが路面の段差にグリップしての走行をする様にした、路面の段差走行用タイヤ。
【発明の詳細な説明】
本発明は、タイヤのサイドウォールを利用した、サイドウォールに溝の深いリブリットウォールからして成る、パターンガイドをも要しての、半月円盤型様成るパターンにしてのサイドパターンにしたサイドパターンが、リブリットウォールに要したパターンガイドに依って、タイヤのトレッドが路面に接地した面に応じてのサイドパターンが、タイヤの外側に曲がる様成にした事に依る、トレッドのグリップに加え、プラスするサイドパターンのグリップしたタイヤに依って、路面の段差を走行出来る様にした路面の段差走行用タイヤである。
本発明は、路面の段差走行用のタイヤなもので有る事から、車に取り付けての利用で有り、利用は車椅子、荷物運搬車、作業者等の取付可能な装置にした車又スノースパイクタイヤ等にも考えられる物である。
【図面の簡単な説明】
【図１】タイヤの断面図上部である。
【図２】タイヤの断面図下部である。
【図３】タイヤの平面図である。
【符号の説明】
１  タイヤ
２  トレッド
３  リブリットウォール
４  サイドパターン
５  ホイル
６  パターンガイド
７  駆動シャフト
８  サイドウォール
【図１】
2004161227.tif 000003
【図３】
2004161227.tif 000004
【手続補正書】
【提出日】平成15年2月3日(2003.2.3)
【手続補正１】
【補正対象書類名】図面
【補正対象項目名】全図
【補正方法】変更
【補正の内容】
【図１】
2004161227.tif 000005
【図２】
2004161227.tif 000006
【図３】
2004161227.tif 000007
(57)【要約】【課題】血液を遠心分離したのち血清又は血漿を採取するとともに、残渣である血餅をも分離剤には触れることなく同一容器で採取できるようにする。【解決手段】筒状本体１とキャップ２を熱可塑性合成樹脂材でそれぞれ一体成型し、前記筒状本体１は開口部１２と底部３を有し、かつ、内径ｄが円形で外径を多角形に形成するとともに、前記開口部１２にキャップ２を密閉してなる血清及び血餅採取兼用容器を確保する。【選択図】　図１
2004045186.tif 000002
【特許請求の範囲】
【請求項１】
筒状本体（１）とキャップ（２）を熱可塑性合成樹脂材でそれぞれ一体成型し、前記筒状本体（１）は開口部（１２）と底部（３）を有し、かつ、内径（ｄ）が円形で外径を多角形に形成するとともに、前記開口部（１２）にキャップ（２）を密閉してなることを特徴とする血清及び血餅採取兼用容器。
【発明の詳細な説明】
【０００１】
【発明の属する技術分野】
本発明は血清及び血餅採取兼用容器に関し、さらに詳細には、該容器自体で血液を遠心分離して血清又は血漿を採取するとともに、血液残渣として残存する血餅をも簡便に採取できるようにした血清及び血餅採取兼用容器に係わる。
【０００２】
【従来の技術】
血液を遠心分離して血清や血漿を採取するには、従来から採血管やスピッツ管等の一定肉厚の円筒管を使用してきた。
前記採血管等においては、その上部に分離された血清又は血漿をスポイト等で採取して検査に付され、分離剤及び該分離剤下から底部に堆積した血餅は残渣としてそのまま容器とともに廃棄処分されていた。従って、従来の採血管等の如く内外径が一定で一定肉厚の円筒管で長年に亘って十分対応されてきた。
【０００３】
しかしながら、近年採血管等の底部に残渣として、また、廃棄処分として堆積した血餅がＤＮＡやＲＮＡ鑑定に役立つことが判明し、これを採取して有効利用することにより、さらなる機能性に富んだ採血管・採血容器等の必要性が生じてきた。
【０００４】
【発明が解決しようとする課題】
予め分離剤が装填されている採血管に血液を充填しこれを遠心分離すると、分離剤がセパレータとして機能し、遠心分離後における採血管内の状態は比重差によって底部に血餅が堆積し、該血餅上に分離剤が位置し、該分離剤の上部に血清又は血漿が分離して浮上する。
【０００５】
血清又は血漿は液体であるから、キャップを開けて容易に採取できることは前述のとおりである。しかし、同様の方式で血餅を採取することは極めて困難である。
つまり、分離剤は頗る接着性の強い厄介な性状を有し、容器・針先・スポイト等にくっ付き易く、仮にスポイト方式等で血餅を採取しても検査の正確性を期することはできないと云う問題点が生ずる。
【０００６】
本発明は血液を遠心分離したのち、血清又は血漿を採取するとともに、残渣である血餅をもセパレータなる分離剤には触れることなく同一容器で採取でき、かつ、検査の正確性並びに迅速性を期することを目的としたものである。
【０００７】
【課題を解決するための手段】
而して、前記従来技術の問題点を改善すべくなした本発明の要旨は、筒状本体とキャップを熱可塑性合成樹脂材でそれぞれ一体成型し、前記筒状本体は開口部と底部を有し、かつ、内径が円形で外径を多角形に形成するとともに、前記開口部にキャップを密閉してなることを特徴とする血清及び血餅採取兼用容器を提供するにある。
【０００８】
本発明は上記構成により内面は依然として円形湾曲面、つまり円筒形を呈するが外観は多角の平面部を呈することになる。
従って、筒方向平面部中央の肉厚が最も薄く、その左右角部の稜線に向かうに従って徐々に厚くなり、稜線部の肉厚が最も厚く形成される。
【０００９】
そして、筒状本体には予め分離剤が装填されているから、血液を充填して開口部をキャップで密閉したのち遠心分離すると、底部に血餅が堆積し、その上部に分離剤が、該分離剤の上部に血清又は血漿がそれぞれ位置する。
【００１０】
このようにして、遠心分離後キャップを開けて血清又は血漿を従来どおり採取するとともに、筒状本体は熱可塑性合成樹脂製で柔らかく、しかも、外観平面部の筒方向中央線部は特に最小肉厚部となっているから、その筒状本体下部に穿刺器を刺し込むことにより、分離剤に触れることなく簡便に血餅を採取できる。
また、多角形の平面部は容器固定ホルダーに不動のものとして保持され、滑り防止機能が働くとともに穿刺器を刺し込む際の安全機能をまっとうする。
【００１１】
【発明の実施の形態】
次に、本発明の実施形態について図面を参照しつつ説明する。図１は本発明の一実施形態を示す筒状本体の平面図、図２は同じく正面図、図３は同じくキャップの正面図である。
【００１２】
図中、１は筒状本体で２はキャップであって、何れもプラスチックス材で一体成型したものである。筒状本体１は底部３を閉塞し内面は円形で外面を八角形に形成した。
【００１３】
従って、筒状本体１の内径ｄは一定であるが、外面を形成する平面部４の筒方向中央部５の肉厚ｔが最も薄く、互いの平面部４が隣接して形成する筒方向の稜線６に向かうに従って徐々に厚くなり、該稜線６と内径ｄ間の肉厚Ｔが最も厚くなる。
【００１４】
図４は遠心分離後の容器７を示す説明的正面図である。ここにおいて、それぞれの比重差によって中間に分離剤８が、その上部に血清９又は血漿が、底部３に血餅１０が堆積する。
【００１５】
キャップ２を開けて血清９又は血漿を採取器で取り出したのち、採取刺器を筒状本体１の筒方向中央部５の下部１１に刺し込んで採取すると、採取刺器は分離剤８に触れることなく血餅１０を取り出すことができた。けだし、筒方向中央部５は筒状本体１の肉厚ｔが最も薄く、かつ、筒状本体１の下部１１に血餅１０が堆積し、採取刺器を頗る簡便に刺し込めるからである。なお、図中１２は開口部を示す。
【００１６】
【発明の効果】
本発明によると刺込部が平面、かつ、最小肉厚部であるから、容器がころがず刺し針が滑らず、頗る安全でしかも簡便に分離剤に触れることなく血餅のみを採取することができる。
同様にその都度キャップを開けることなく、血清又は血漿・分離剤・血餅をそれぞれ個別に採取することもできる。
【００１７】
さらに、筒状本体は内面が円形湾曲面であるため、従来どおり正確な分離機能を保持しつつ、外面は多角形であるから筒状本体の肉厚がバランスし強度が頗る向上し、破損しにくい。しかも、パック詰めの際に隣接する各筒状本体の平面部同士が面接触するので、無駄なスペースを省けるとともに、運搬性・流通性に富む。
【図面の簡単な説明】
【図１】本発明に係る筒状本体の一実施態様を示す平面図。
【図２】本発明に係る筒状本体の一実施態様を示す正面図。
【図３】本発明に係るキャップの一実施態様を示す正面図。
【図４】本発明に係る容器の一実施態様を示す説明的な正面図。
【符号の説明】
１　　筒状本体
２　　キャップ
３　　底部
４　　平面部
５　　筒方向中央部
６　　稜線
７　　容器
８　　分離剤
９　　血清
１０　　血餅
１１　　下部
１２　　開口部
ｄ　　内径
ｔ　　肉厚
Ｔ　　肉厚
【図１】
2004045186.tif 000003
【図２】
2004045186.tif 000004
【図３】
2004045186.tif 000005
【図４】
2004045186.tif 000006
(57)【要約】【課題】光ファイバの捩れのない入射光用アダプタを提供する。【解決手段】光源接続金具１は光源に連結する光源側光ファイバ５０を嵌装する先端金具１０を備え、更に先端金具１０に連結して内径の大きな径大部１１を備えている。径大部１１の内部に回転軸２が装着されており、回転軸２はボールベアリング２０を介して径大部１１内部に装着され、回転可能になっている。回転軸２の端面にレセプタクル３が装着されここに光ファイバ６０を嵌装支持する。光ファイバ６０が回転するとそれに伴って回転軸２と一緒に回転する。【選択図】　図１
2004045480.tif 000002
【特許請求の範囲】
【請求項１】
コネクタで連結された光ファイバの一端側から検査用の光を入射するための光源と該光ファイバの間に介在させる入射光用アダプタであって、
前記光源側に接続する光源側接続部と、
前記光ファイバ側に接続する光ファイバ側接続部と、
前記光ファイバ側接続部を回転可能に支持する回転連結部と、
を備えたことを特徴とする入射光用アダプタ。
【発明の詳細な説明】
【０００１】
【発明の属する技術分野】
この発明は、入射光用アダプタに関する。
【０００２】
【従来の技術】
光ファイバは、コネクタを介して接続されるが、対向する光ファイバの軸芯がずれると光の伝達損失が大きくなるため、コネクタ接続の良否を判定するために軸芯ずれの検査が行われる。
該検査の１つに、コネクタで接続した光ファイバの一端から検査用の光を入射して他端で光量を測定して接続の良否を判定する検査がある。
図４にこの検査の概要を示す。光ファイバ６０と光ファイバ６０’がコネクタ６１により接続されており、該接続の良否を光源５５から検査用光を入射してパワーメータ５６で光量を測定することにより行っている。光源５５と光ファイバ６０の間は入射光用アダプタＡ’で接続し、光ファイバ６０を回転させて光ファイバ６０と光ファイバ６０’の端面の軸芯位置を変化させ、その光量変化をパワーメータ５６で測定し、芯ずれの状態を把握するようになっている。
【０００３】
【発明が解決しようとする課題】
しかし、上記検査において、光ファイバを回転させるため、光ファイバが捩れて光ファイバが損傷する等の問題があった。
本発明は上記従来技術の問題を解決することを目的とするもので、光ファイバの回転を吸収できる入射光用アダプタを提供することを目的とする。
【０００４】
【課題を解決するための手段】
上記目的を達成するために、本発明は、コネクタで連結された光ファイバの一端側から検査用の光を入射するための光源と該光ファイバの間に介在させる入射光用アダプタであって、前記光源側に接続する光源側接続部と、前記光ファイバ側に接続する光ファイバ側接続部と、前記光ファイバ側接続部を回転可能に支持する回転連結部と、を備えたことを特徴とする。
上記構成により、光ファイバ側の接続部は回転可能であるから、光ファイバを回転させながら検査しても、捩れなどを生じることがない。
【０００５】
【発明の実施の形態】
以下本発明の実施の形態を図面に基づいて説明する。
図１と図２及び図３において、この入射光用アダプタＡは光源接続金具１と回転軸２及びレセプタクル３とを備えている。
【０００６】
光源接続金具１は光源に連結する光源側光ファイバ５０を嵌装する先端金具１０を備え、更に内径の大きな径大部１１を備えている。先端金具１０には図３に示すように固定ネジ１２が設けられており、光源側光ファイバ５０を固定するようになっている。
また光源口金５１と直接に接続することも可能であり、図１に示すように光源口金５１を光源接続金具１の外側に嵌装するように構成されている。
【０００７】
前記径大部１１の内部に回転軸２が装着されている。回転軸２はボールベアリング２０を介して径大部１１内部に装着され、回転可能になっている。
【０００８】
回転軸２の端面にレセプタクル３が装着されている。レセプタクル３は図２に示すようにネジ３０により装脱着が可能になっており、種々の形態のレセプタクル３を使い分けることが出来るようになっている。この実施形態では、レセプタクル３は、光ファイバ６０を嵌装支持するようになっており、光ファイバ６０が回転するとそれに伴って回転軸２と一緒に回転するようになっている。
【０００９】
前記したようにレセプタクル３の形状構成は種々のものが可能であり、光ファイバケーブル単体或いはフェレールとケーブルを支持できる構造のもの等種々の形態のものが使用可能であり、適宜交換して回転軸２に装着できるようになっている。
【００１０】
以上の構成において、図４に示すように光源５５に接続されている光源側光ファイバ５０を先端金具１０に装着し、或いは光源口金５１を光源接続金具１の外周に装着し、光ファイバ６０をレセプタクル３に装着する。そして、光源５５から入射光用アダプタＡを介して光を光ファイバ６０に照射し、光ファイバ６０を回しながらその光量の変化をパワーメータ５６により測定する。この測定値により光ファイバ６０と光ファイバ６０’の接続の良否を判定する。その際、光ファイバ６０の回転と共にレセプタクル３も回転するから光ファイバ６０に捩れなどが生じることがない。
【００１１】
【発明の効果】
以上説明したように本発明の入射光用アダプタによれば、光ファイバに捩れ等が生じない効果がある。
【図面の簡単な説明】
【図１】本発明の一実施形態を示す半断面図。
【図２】図１における右側面図。
【図３】図１における左側面図。
【図４】測定方法の説明図。
【符号の説明】
１：光源接続金具、２：回転軸、３：レセプタクル、１０：先端金具、１１：径大部、１２：固定ネジ、２０：ボールベアリング、３０：ネジ、５０：光源側光ファイバ、５１：光源口金、５５：光源、５６：パワーメータ、６０：光ファイバ、６１：コネクタ。
【図１】
2004045480.tif 000003
【図２】
2004045480.tif 000004
【図３】
2004045480.tif 000005
【図４】
2004045480.tif 000006
(57)【要約】【課題】イオンマイクロビームやイオンナノビームの形成を行う場合、最終的にどの程度のビーム径が形成されたか、ビーム径の測定方法が極て重要となるが、本発明は、かかるビーム径を測定するための方法に関するものであり、高分解能を有するイオンナノビーム径の測定方法に関するものである。【解決手段】被測定対象のイオンビーム径に対して、このビームをナイフエッジで切断し、この切断の際に増減するビーム電流を測定することにより、ビーム径の評価をナイフエッジの移動距離と測定ビーム電流の変動とに基づいて行うか、或いは被測定対象のイオンビーム径に対して、このビームをナイフエッジで切断し、この切断の際に二次的に発生する二次電子又はＸ線を測定することにより、ビーム径の評価をナイフエッジの移動距離と二次電子又はＸ線の変動とに基づいて行う、微小ビーム径を評価する方法。【選択図】　図１
2004045068.tif 000002
【特許請求の範囲】
【請求項１】
被測定対象のイオンビーム径に対して、このビームをナイフエッジで切断し、この切断の際に増減するビーム電流を測定することにより、ビーム径の評価をナイフエッジの移動距離と測定ビーム電流の変動とに基づいて行うことを特徴とする微小ビーム径を評価する方法。
【請求項２】
増減するビーム電流をファラデイーカップを用いて測定することを特徴とする請求項１記載の方法。
【請求項３】
被測定対象のイオンビーム径に対して、このビームをナイフエッジで切断し、この切断の際に二次的に発生する二次電子又はＸ線を測定することにより、ビーム径の評価をナイフエッジの移動距離と二次電子又はＸ線の変動とに基づいて行うことを特徴とする微小ビーム径を評価する方法。
【発明の詳細な説明】
【０００１】
【発明の属する技術分野】
イオンマイクロビームやイオンナノビームの形成を行う場合、最終的にどの程度のビーム径が形成されたか、ビーム径の測定方法が極て重要となるが、本発明は、かかるビーム径を測定するための方法に関するものである。特に、本発明は、高分解能を有するイオンナノビーム径の測定方法に関するものである。
【０００２】
【従来の技術】
半導体デバイスの急速な高集積化により加工線幅は０．１μｍに迫っており、更に、ナノメートル領域に入りつつある。また、デバイスの内部も多層構造により３次元化し、益々複雑化している。このデバイス内の欠陥や微量元素の分析等の研究には、イオンマイクロビームの利用が最も有用な手段のひとつであり、世界の様々な研究機関でマイクロビーム形成装置の開発やこのビームを用いた研究が盛んに行われている。
【０００３】
【発明が解決しようとする課題】
イオンマイクロビーム径の測定は、電子顕微鏡でのビーム径の測定方法をイオンビームの測定に応用することで行ってきた。即ち、細線加工した、半導体のレリーフパターンにビームを走査し、このエッジから発生する二次電子やＸ線を電子線検出器やＸ線検出器を用いて観測し、ビーム位置に対するこれらの発生量の変化をもとにビーム径を見積もっている。
【０００４】
この測定方法の場合、（１）ビームをスキャーンするため、この操作により収差が発生する可能性がある。（２）ビームの位置を制御機器の制御値から計算で求めるため、誤差が入りやすい。（３）エッジから発生する二次粒子は物質表面の状態により、変化する。（４）これらの粒子線を検出するためには高価な粒子線検出器を必要とする等の問題点がある。
【０００５】
【課題を解決するための手段】
本発明における研究開発では従来の方法での問題点を克復するため、図１に示すような装置を開発した。この装置では、ビームを走査する代わりに専用に開発した鋭いナイフエッジを、ビームを切る方向に移動させ、このエッジ後方に配したファラデイーカップ等によりビーム電流の測定を行う。
【０００６】
ビーム径を見積もるには、ナイフエッジの位置に基づいたビーム電流の測定が必要であるが、ナイフエッジの位置は高分解能位置検出器を用いることで直接測定を行う。ビーム電流は二次電子抑制用のサプレッサーを有するファラディーカップを用いることで正確な電流値を測定することが可能である。
【０００７】
ナイフエッジは本発明の装置の分解能（ビーム径測定のための空間分離能）を決める重要な部品であり、エッジ先端の凸凹及び先端角共にビーム径以下の精度と、このエッジは直接イオンビームに照射されるため、この照射に耐える材質とを必要とする。例えば、本発明の装置の場合このナイフエッジとしてダイヤモンドナイフエッジを使用している。
【０００８】
【発明の実施の形態】
図１に示されるように、ビーム電流の電流値を測定することができるファラデイーカップに、その上方から、ビーム径を測定するためのイオンマイクロビーム又はイオンナノビームを照射する。本発明においては、ファラデイーカップの上方にナイフエッジを配置し、このナイフエッジを入射ビームを切断する方向に移動させる。このナイフエッジの移動距離とファラデイーカップにおけるビーム電流の変動電流値との関係を予め測定しておくことより、測定対象のビーム径がそのナイフエッジの移動距離から得られる。
【０００９】
ビームの形状は、その周辺部にボケがあるため、ビーム径全体をビーム径とすることは困難である。このため、本発明においては、ナイフエッジの位置と電流変動の関係からフィティング等の数値的な評価を行い、この結果を基にビーム径を見積もることができる。従来においては、ビーム径は最大電流値の半値幅、即ち、確率分布の約７６％の面積を持ってビーム径としている場合が多い。以下、本発明を実施例に基づいて説明する。
【００１０】
【実施例】
図２には、ビーム電流とナイフエッジ位置との関係が示され、この関係からビーム径を見積り評価することが示されている。即ち、ナイフエッジの移動距離とそのナイフエッジの移動距離により変動するビーム電流値との関係が示されており、この関係からビーム径を評価見積もることが示されている。
【００１１】
具体的には、図２の測定において、ビームエネルギー約３０ＫｅＶの水素イオンビーム、最大電流約３０ｐＡのビームを用いてビーム径の評価が行われた。ビーム径の見積もりには、減少するビーム電流部と２つのプラトー部を直線フィティングし、それぞれのフィティング線が交差する２点のＸ座標の長さをビーム径としている。
【００１２】
【発明の効果】
ナイフエッジを移動させる本発明の方法の場合ビームのスキャーンを行わないため、ビーム走査による収差が発生しないので、純粋なビーム径を測定することになる。加えて、ビーム電流を測定するので、ビーム径を直接測定したことになる。又、サブミクロン以下のイオンナノビーム径の測定が可能となり、ナノビーム形成に充分貢献をすることができる。
【図面の簡単な説明】
【図１】ファディーカップを使用した本発明のビーム径評価装置を示す図である。
【図２】ナイフエッジの移動距離とビーム電流の変動とを示す図である。
【図１】
2004045068.tif 000003
【図２】
2004045068.tif 000004
(57)【要約】【課題】発生する熱気、蒸気、臭気、油分を排気する為にそれらを含む大量の空気を排気しなければならず、これに伴って排気、給気用送風機やダクトなどの付帯のコストが増大し、また大きな設置スペースが必要であった。これらを使用する為の電気エネルギーにより、運転コストも非常に大きかった。【解決手段】排気空気を水カーテン、水噴霧の中を通過させる事で直接水に接触させ、空気中の熱気、蒸気、臭気、油分を取除き清浄し、さらに水冷却コイルを通過させる事で再冷却、除湿し室内条件に影響を与えない空気状態にして室内に開放する。方式を装置にまとめ、フードに取付ける事でダクトなどの付帯設備を無くし、省コスト、省スペース、省エネルギーを提供する。【選択図】図２
2004045004.tif 000002
【特許請求の範囲】
【請求項１】
フードによる排気空気を、水道水利用の水カーテンと水噴霧にて蒸気、熱気、臭気、油分をろ過し、その後水冷却コイルを通し再冷却、除湿し、排気せずに室内に返す、空気循環方式。
【請求項２】
請求項１を採用した循環用装置。
【請求項３】
請求項２を採用した移動式循環フード。
【発明の詳細な説明】
フードにて排気していた空気を、水道水を利用した水カーテンと水噴霧の中を通し、水を直接、排気空気に作用させる事で蒸気除去、冷却、脱臭、油分除去を行い、さらにその後、水冷却コイルを通過させ、最度冷却し、温度と湿度を安定させ、排気せず室内に返す方式と、それを採用した循環用装置。
【発明の所属する技術分野】換気設備
【従来の技術】蒸気や熱気、臭気、油分などの発生物を、フードにて周囲空気と一緒にして室外に排気していた。
【発明が解決しようとする課題】実際にフードで排気したい物は、その空気中に含まれる蒸気や熱気、臭気、油分であって空気では無い。しかしそれらを有効に取除く事が出来ない為仕方なくそれらを含む大量の空気を排気している。これは非常な無駄で、また排気する為にそれと同量の給気が必要となってしまう。
フード排気を必要とする場合、これに伴った排気・給気用送風機、ダクト設備が必要となり、法的規制や大きな設備スペースと多額の設置費用を必要とした。この従来の方式では、排気、給気用送風機のモーター電気容量が大きくなり、使用にあたっても運転費用が多大であった。
また、排気する事により外気を導入する必要が発生する為、空調室に於いては、その外気は新たな空調負荷となり、大きなエネルギーを必要とした。
【問題を解決する為の手段】フードからの排気空気を、水道水を利用した水カーテン、水噴霧の中を通過させ、直接排気空気に水を作用させる事で、空気中の蒸気、臭気、油分等を取除き、空気を清浄にし、次に水冷却コイルの中を通し間接的に除湿、冷却し、室内条件に影響を与えない空気状態にして室内に返す。
【発明実施の形態】水カーテン、水噴霧用設備を設け、その後に水冷却コイルを取付ける。空気の流れとしては、フードから水カーテン、水噴霧、水冷却コイルの順に流れ、水の流れとしては水冷却コイルから水噴霧、水カーテンの順に流し、小水量にてエネルギー交換効率と、ろ過作用を有効的に行う。
一般水道水の温度は１８℃前後と考えられ、この温度を利用して室内温度条件、２６℃から２８℃、相対湿度５０％から６０％前後においても、循環空気が室内に影響を与えないよう、最後に最も温度の低い水冷却コイルを通過させる事で、再冷却、除湿を行う。結果、処理空気は、温度２２℃前後、相対湿度９９％前後となり、室内に開放したとしても、一般室内条件に対応が出来る。
処理した空気は、循環用送風機を経てフード周囲に開放する事で再度、蒸気、熱気、臭気などと共にフードに吸い込まれ、処理循環を繰り返す事で、室内への影響を最小限に抑えられる。
装置を取付けたフードに、脚、キャスターを取付ける事でブース式移動フードとしても利用が可能となる。
【実施例】工場・実験・研究施設の機器局所排気用、興行・イベントなどの屋台用臨時フード、厨房室のフードとして使用。
【発明の効果】従来はフードにて蒸気、熱気などを排気し、それに見合った給気を部屋内に供給していたが、排気空気を清浄に処理し循環させる事で、従来の排気用、給気用の送風機が不要になる。これに伴った大掛かりなダクト設備も不要となる。この方式によれば、循環用の送風機と、ホースによる程度の給排水設備が必要なだけなので、送風機のモーター電気容量は１０分の１程度になり、ダクト設備も不要、機器、ダクトスペースも不要で、省コスト、省スペース、省エネルギーである。
また排気、給気用のダクトが不要なので、従来のフード設置に伴う事前の大掛かりな付帯設備が必要無く、必要な所に自由に取付けが可能である。
循環式なので排気の為の新鮮空気を入れる必要が無く、新鮮空気導入の為の空調負荷が無くなり省エネルギーである。
【図面の簡単な説明】
【図１】本発明の方式概念を示すフロー図である。
【図２】本発明の装置正面立断面・透視図である。
【図３】本発明の装置側面立断面・透視図である。
【図４】本発明の装置平面透視図である。
【図５】本発明の実験検証用実験機写真である。
【図６】本発明の実験検証用実験機写真である。
【図７】本発明の実験検証用実験機写真である。
【図８】本発明の実験検証結果の折れ線図である。
【図９】本発明の実験検証結果の折れ線図である。
【符号の説明】
１　水冷却コイル
２　循環用送風機（耐湿型有圧換気扇）
３　水噴霧器（スプリンクラー）
４　水カーテン（噴霧水の再利用）
５　空気の流れ
６　給水管
７　ドレン管
【図１】
2004045004.tif 000003
【図２】
2004045004.tif 000004
【図３】
2004045004.tif 000005
【図４】
2004045004.tif 000006
【図５】
2004045004.tif 000007
【図６】
2004045004.tif 000008
【図７】
2004045004.tif 000009
【図８】
2004045004.tif 000010
【図９】
2004045004.tif 000011
(57)【要約】【課題】物を煮る、炊く、沸かす時、プロパンガスを節約する機具の部品を提供することにある。【解決手段】プロパンガス経済リングは板形リングからなり、穿設を設けた構造を特徴とすることを提供することで解決する。【選択図】　　　　　　図１
2004045005.tif 000002
【特許請求の範囲】
【請求項１】
プロパンガス台のガス吹き出し口に、穿設を有する板形リングをガス吹き出し口に被せることを特徴とするプロパンガス経済リング。
【発明の詳細な説明】
【０００１】
【発明の属する技術分野】
本発明はプロパンガス台のガス節約部品に関する。
【０００２】
【従来の技術】
従来、プロパンガス台に取付ける節約機器が考えられているが、節約について得られる利点がない。
【０００３】
【発明が解決しようとする課題】
物を煮る、炊く、沸かすため、プロパンガス台使用、プロパンガス燃料を少なく節約を課題として提供することにある。
【０００４】
【課題を解決するための手段】
本発明はプロパンガス台のガス吹き出し口に穿設を有する板形リングをガス吹き出し口に被せて、横外部に火（熱）を逃がさないことで、上記課題を解決する。
【０００５】
【実施例】
本発明のプロパンガス経済リングは煮る、炊く、沸かすためプロパンガス台使用時、ガス吹き出し口と容器上げ台の中間部に設ける。
【０００６】
本発明のプロパンガス経済リングは板をリングにする。板には複数の穿設を設けられる。また、点火器の穿設を受けの溝も設ける。板リングに穿設を複数設けて空気（酸素）を受け入れる構造。
【０００７】
本発明のプロパンガス経済リングの材質は、ニクロム合金、鉄クロムが良い。
【０００８】
【発明の効果】
本発明は上記のように構成したので次のように効果奏できる。
（イ）　容器（鍋、ヤカン）の下部にあたる火（熱）を、横外部に逃がすことがないため燃料ガスの節約となる。
（ロ）　脱着が出来るので、ガス台の清掃が簡単に出来る。
【図面の簡単な説明】
【図１】本発明に係るプロパンガス経済リングの正面図である。
【符号の説明】
１　　板のリング
２　　穿設
３　　切取り溝
【図１】
2004045005.tif 000003